(57)【要約】【課題】使用者の生活環境の向上を図る。【解決手段】分電盤１は、ブレーカと、キャビネット１０と、を備える。キャビネット１０は、ブレーカを収容する収容空間を有する。キャビネット１０は、その外観に、所定の機能を有する機能部９を備える。【選択図】図３
2020089075.tif 000002
【特許請求の範囲】
【請求項１】
ブレーカと、
前記ブレーカを収容する収容空間を有するキャビネットと、
を備え、
前記キャビネットは、その外観に、所定の機能を有する機能部を備える、
分電盤。
【請求項２】
前記機能部は、時間情報を表示する時計部を備える、
請求項１に記載の分電盤。
【請求項３】
前記機能部は、ファンを含む、
請求項１又は２に記載の分電盤。
【請求項４】
前記機能部は、前記分電盤が取り付けられる建物の玄関に設置されるインターホン玄関装置と有線通信することで、前記インターホン玄関装置との間で少なくとも音声信号を送受信する通信機能を有する、
請求項１〜３のいずれか１項に記載の分電盤。
【請求項５】
前記機能部は、データを２つ以上の異なるネットワーク間で中継する中継器を備える、
請求項１〜４のいずれか１項に記載の分電盤。
【請求項６】
前記機能部は、物品を保持する保持部又は物品を収容する収容部を備える、
請求項１〜５のいずれか１項に記載の分電盤。
【請求項７】
前記機能部は、照明装置を備える、
請求項１〜６のいずれか１項に記載の分電盤。
【請求項８】
前記機能部は、複数種類のアタッチメントを取り付け可能な付加部を備える、
請求項１〜７のいずれか１項に記載の分電盤。
【請求項９】
前記付加部にかかる力に基づき前記アタッチメントの重量を検知する重量検知部を、さらに備える、
請求項８に記載の分電盤。
【請求項１０】
前記重量検知部で検知された重量が閾値を超えた場合に報知する報知部を、さらに備える、
請求項９に記載の分電盤。
【請求項１１】
前記キャビネットは、
ブレーカを保持し、前面に開口を有するキャビネット本体と、
前記キャビネット本体の前記開口を覆う閉状態と前記開口を露出する開状態との間で変位可能となるように前記キャビネット本体に取り付けられるカバーと、
を備え、
前記機能部は、前記カバーに設けられる、
請求項１〜１０のいずれか１項に記載の分電盤。
【請求項１２】
前記機能部が有する前記所定の機能は、前記ブレーカに関係する機能以外の機能である、
請求項１〜１１のいずれか１項に記載の分電盤。
【発明の詳細な説明】
【技術分野】
【０００１】
本開示は、分電盤に関し、より詳細には、ブレーカを収容するキャビネットを備えた分電盤に関する。
【背景技術】
【０００２】
特許文献１は、住宅用分電盤（分電盤）を開示する。分電盤は、複数の開閉器が納装され開閉器の操作部が前面に露出する箱体と、箱体の前面を覆う位置と開放する位置との間で開閉するように一端縁が箱体に軸着された扉体と、を備える。
【先行技術文献】
【特許文献】
【０００３】
【特許文献１】特開２００１−１５７３１９号公報
【発明の概要】
【発明が解決しようとする課題】
【０００４】
このような分電盤は、建物の壁面において天井付近に取り付けられることが多く、使用者の邪魔になりにくいことを優先した構造及び形状を有している。従来の分電盤の構造設計においては、使用者の生活環境等に重点はおかれていない。
【０００５】
本開示の目的は、使用者の生活環境の向上を図ることが可能な分電盤を提供することにある。
【課題を解決するための手段】
【０００６】
本開示の一態様に係る分電盤は、ブレーカと、前記ブレーカを収容する収容空間を有するキャビネットと、を備える。前記キャビネットは、その外観に、所定の機能を有する機能部を備える。
【発明の効果】
【０００７】
本開示の態様によれば、使用者の生活環境の向上を図ることが可能となる。
【図面の簡単な説明】
【０００８】
【図１】図１は、一実施形態の分電盤の斜視図であり、蓋体を外した状態である。
【図２】図２は、同上の分電盤において蓋体及び内カバーが外された状態を正面から見た説明図である。
【図３】図３は、同上の分電盤の正面図である。
【図４】図４は、同上の分電盤の概略構成を示す説明図である。
【図５】図５は、変形例１の分電盤の正面図である。
【図６】図６は、変形例２の分電盤の正面図である。
【図７】図７は、同上の分電盤の概略構成を示す説明図である。
【図８】図８は、変形例３の分電盤の概略構成を示す説明図である。
【図９】図９は、変形例４の分電盤の概略構成を示す説明図である。
【図１０】図１０は、変形例５の分電盤の概略構成を示す説明図である。
【図１１】図１１は、変形例６の分電盤の正面図である。
【図１２】図１２は、同上の分電盤の蓋体の概略構成を示す説明図である。
【図１３】図１３は、変形例７の分電盤の蓋体の正面図である。
【図１４】図１４は、同上の分電盤の正面図であり、蓋体を外した状態である。
【発明を実施するための形態】
【０００９】
（１）概要
図１、図２に示すように、本実施形態の分電盤１は、ブレーカ４０と、キャビネット（分電盤用キャビネット）１０と、を備えている。図２に示すように、キャビネット１０は、収容空間ＳＰ１を有する。ブレーカ４０は、収容空間ＳＰ１に収容される。ここでは、ブレーカ４０は、主幹ブレーカ４１を含んでいる。
【００１０】
図３に示すように、キャビネット１０は、その外観に、所定の機能を有する機能部９を備えている。
【００１１】
キャビネット１０の外観とは、キャビネット１０を所定箇所（建物の壁面３００等）に取り付けた状態で、使用者が外部から視認し得るキャビネット１０の部分を意味する。キャビネット１０が、開閉可能な蓋体１３を含む場合、キャビネット１０の外観は、蓋体１３が開いた状態において使用者が外部から視認し得るキャビネット１０の部分を含む。
【００１２】
機能部９が有する所定の機能は、例えば、ブレーカ４０に関係する機能以外の機能である。一例において、本実施形態の分電盤１では、機能部９は、時間情報を表示する時計部９１を備えている。
【００１３】
本実施形態の分電盤１では、キャビネット１０が、その外観に、所定の機能を有する機能部９を備えている。そのため、使用者は、機能部９が有する所定の機能を利用することができる。したがって、本実施形態の分電盤１によれば、使用者の生活環境の向上を図ることができるという利点がある。
【００１４】
（２）詳細
以下、本実施形態の分電盤１について、図１〜図４を用いて説明する。
【００１５】
以下の説明では、特に断りがない限り、図２に示すＸ軸の方向を左右方向、Ｚ軸の方向を上下方向と規定する。また、Ｘ軸の方向及びＺ軸の方向それぞれと直交する方向を前後方向と規定する。さらに、Ｘ軸の正の向きを右側、Ｚ軸の正の向きを上側と規定する。ただし、これらの方向は一例であり、分電盤１の使用時の方向を限定する趣旨ではない。また、図面中の各軸の向きを示す矢印は説明のために表記しているに過ぎず、実体を伴わない。
【００１６】
上述のように、分電盤１は、ブレーカ４０と、ブレーカ４０を収容する収容空間ＳＰ１を有するキャビネット（分電盤用キャビネット）１０と、を備えている。ブレーカ４０は、上述のように主幹ブレーカ４１を含んでおり、ここでは、複数の分岐ブレーカ４２と、連系ブレーカ４３と、をさらに含んでいる。また、分電盤１は、計測アダプタ７をさらに備えている。
【００１７】
分電盤１は、例えば、戸建て住宅又は集合住宅の住戸等の施設に設置されて使用される。分電盤１が設置される施設は、戸建て住宅又は集合住宅の各住戸に限定されず、非住宅の建物（例えば、工場、商業用ビル、オフィスビル、病院、学校等）であってもよい。
【００１８】
キャビネット１０は、造営材（例えば建物の壁面３００；図２参照）に取り付けられる。キャビネット１０は、壁面３００に設けられた取付孔に一部又は全体が埋め込まれた状態で取り付けられてもよい。キャビネット１０は、例えば、平均的な身長の子供では手が届かないような高さ位置であって、平均的な身長の大人であれば操作が可能なような高さ位置に設けられる。
【００１９】
施設内において、分電盤１が取り付けられる空間（部屋）の種類は、特に限定されない。施設としての住戸に設置される場合、分電盤１は、例えば、玄関に設置されてもよいし、居間に設置されてもよいし、風呂場（脱衣所）に設置されてもよい。
【００２０】
図２に示すように、主幹ブレーカ４１、複数の分岐ブレーカ４２、連系ブレーカ４３、及び計測アダプタ７は、キャビネット１０の内部（収容空間ＳＰ１）に収容されている。
【００２１】
図２は、キャビネット１０の内部における主幹ブレーカ４１、複数の分岐ブレーカ４２、連系ブレーカ４３、及び計測アダプタ７の配置を示している。ただし、これらの配置は一例であり、適宜変更が可能である。
【００２２】
主幹ブレーカ４１は、キャビネット１０の内部において、左右方向の中央よりもやや左側の位置に配置されている。なお、キャビネット１０の内部での主幹ブレーカ４１の位置は、例えば中央よりも右側等、他の位置であってもよい。主幹ブレーカ４１は、一次側端子と二次側端子との間に電気的に接続された接点を備える。主幹ブレーカ４１は、接点をオン又はオフにするための操作レバー４１１を前面に備えている。また、主幹ブレーカ４１は、接点に流れる短絡電流又は過負荷電流等の過電流を検出すると、接点を開極させるよう構成されている。なお、主幹ブレーカ４１は、例えば接点に漏電電流が流れる異常状態を検出すると接点を開極させる、いわゆる漏電保護機能を有していてもよい。また、主幹ブレーカ４１は、単相三線式配線における中性線の欠相状態を検出すると接点を開極させる、いわゆる中性線欠相保護機能を有していてもよい。また、主幹ブレーカ４１は、所定の制限値を超える電流が流れると接点を開極させる、いわゆるリミッタ機能を有していてもよい。
【００２３】
主幹ブレーカ４１の二次側端子には、単相三線式配線における第１電圧極（Ｌ１相）の導電バー、第２電圧極（Ｌ２相）の導電バー、及び中性極（Ｎ相）の導電バーが接続されている。各導電バーは、導電部材により左右方向に長い長尺板状に形成されており、キャビネット１０の内部において、上下方向の中央であって主幹ブレーカ４１の右側の位置に配置されている。
【００２４】
複数の分岐ブレーカ４２は、各導電バーの上側と下側とに分かれて、それぞれ複数個ずつ左右方向に並ぶように配置されている。本実施形態では、図２に示すように、各導電バーの上側には、１２個の分岐ブレーカ４２が左右方向に並ぶように配置されている。また、各導電バーの下側には、１２個の分岐ブレーカ４２が左右方向に並ぶように配置されている。
【００２５】
各分岐ブレーカ４２は、一対の一次側端子と、一対の二次側端子と、を備えている。各分岐ブレーカ４２は、一次側端子と二次側端子との間に電気的に接続される接点を有している。各分岐ブレーカ４２の前面には、各分岐ブレーカ４２が内蔵する接点をオン又はオフにするための操作レバー４２１が設けられている。また、分岐ブレーカ４２は、分岐ブレーカ４２が内蔵する接点に、短絡電流又は過負荷電流等の過電流が流れる異常状態を検出すると、接点を開極させるよう構成されている。
【００２６】
図４に示すように、分岐ブレーカ４２の二次側端子には、対応する配線Ｂ１が電気的に接続される。各分岐ブレーカ４２の二次側端子に接続された配線Ｂ１には、例えば、照明器具、給湯設備等の電気機器、コンセント又は壁スイッチ等の配線器具が負荷として１つ以上接続される。したがって、分電盤１は、分岐ブレーカ４２の二次側端子に配線Ｂ１を介して接続された電気機器、又はコンセントに接続された電気機器（例えば空調機器又はテレビ受像器等）等に、電力を供給することができる。
【００２７】
連系ブレーカ４３には、分散電源が接続される。連系ブレーカ４３は、主幹ブレーカ４１の二次側端子に電気的に接続された導電バーと、分散電源との間に電気的に接続される。連系ブレーカ４３の接点がオンになると、分散電源が系統電源Ｐ１と連系して負荷に電力を供給することができる。一方、連系ブレーカ４３の接点がオフになると、分散電源が系統電源Ｐ１から解列される。
【００２８】
図２に示すように、計測アダプタ７は、キャビネット本体２の内部において、主幹ブレーカ４１の左側に配置されている。計測アダプタ７は、分電盤１内の主幹ブレーカ４１、分岐ブレーカ４２、及び連系ブレーカ４３のうちの少なくとも一つを通過する電力を計測する計測機能、及びキャビネット本体２の外部に配置された機器と通信する通信機能を有している。
【００２９】
例えば、計測アダプタ７は、主幹ブレーカ４１に流れる電流を計測する主幹電流検知部並びに、複数の分岐ブレーカ４２及び連系ブレーカ４３に流れる電流を計測する分岐電流検知部と、電気的に接続されている。主幹電流検知部は、例えば、カレントトランス（ＣＴ）からなる電流センサを備えている。また、分岐電流検知部は、例えば、複数の分岐ブレーカ４２及び連系ブレーカ４３それぞれの一次側端子の周りに配置されるコイル（ロゴスキコイル）を含む電流センサを備えている。そして、計測アダプタ７は、主幹電流検知部及び分岐電流検知部が計測した電流の値のそれぞれを電力値に変換する機能（計測機能）を有している。
【００３０】
また、計測アダプタ７は、ＨＥＭＳ（Home Energy Management System）に対応する機器（以下、ＨＥＭＳ対応機器という）の制御を行うように構成されたコントローラとの間で通信する機能（通信機能）を有している。ここに、ＨＥＭＳ対応機器は、例えばスマートメータ、太陽光発電装置、蓄電装置、燃料電池、電気自動車、エアコン、照明器具、給湯装置、冷蔵庫、又はテレビ受像機等を含む。なお、ＨＥＭＳ対応機器は、これらの機器に限定されない。
【００３１】
計測アダプタ７とコントローラとの間の通信方式は、例えば９２０ＭＨｚ帯の特定小電力無線局（免許を要しない無線局）、Ｗｉ−Ｆｉ（登録商標）、Ｂｌｕｅｔｏｏｔｈ（登録商標）等の通信規格に準拠した、電波を媒体とした無線通信であってもよい。また、計測アダプタ７とコントローラとの間の通信方式は、有線ＬＡＮ（Local Area Network）等の通信規格に準拠した有線通信であってもよい。また、計測アダプタ７とコントローラとの間の通信における通信プロトコルは、例えばＥｔｈｅｒｎｅｔ（登録商標）、ＥＣＨＯＮＥＴ  Ｌｉｔｅ（登録商標）等を用いてもよい。
【００３２】
図１、図３に示すように、キャビネット１０は、キャビネット本体２と、カバー３と、を備えている。本実施形態では、キャビネット本体２は、ボディ１１を備えている。カバー３は、内カバー１２と、蓋体１３と、を備えている。
【００３３】
図２に示すように、ボディ１１は、前面に開口１１０を有する矩形の箱状である。ここでは、ボディ１１は、前面の全体が開口している。主幹ブレーカ４１、複数の分岐ブレーカ４２、連系ブレーカ４３、及び計測アダプタ７は、ボディ１１に直接又は取付用の部品等を介して保持されている。
【００３４】
内カバー１２は、後面が開口した箱状である。内カバー１２は、ボディ１１の開口１１０を覆うようにして、ボディ１１に取り付けられる（図１参照）。内カバー１２は、前面１２１に開口１２０を有している。開口１２０は、ブレーカ４０の一部、より詳細には、主幹ブレーカ４１の操作レバー４１１、分岐ブレーカ４２の操作レバー４２１、連系ブレーカ４３の操作レバー４３１を、露出させる。使用者は、内カバー１２がボディ１１に取り付けられた状態で、ブレーカ４０の上記一部（操作レバー４１１、４２１、４３１）を操作可能である。
【００３５】
図３に示すように、蓋体１３は、前面視の形状が矩形である。蓋体１３は、内カバー１２の前面１２１を覆うための部材である。蓋体１３は、閉位置と開位置との間で移動可能となるよう内カバー１２に結合されている。閉位置は、内カバー１２の前面１２１を覆う位置である。つまり、蓋体１３の閉位置では、ボディ１１の開口１１０は、内カバー１２及び蓋体１３によって全体が覆われる。一方、開位置は、内カバー１２の前面１２１の開口１２０のうちの少なくとも一部を覆わない位置である。つまり、蓋体１３の開位置では、ボディ１１の開口１１０の少なくとも一部が露出される。
【００３６】
このように、内カバー１２及び蓋体１３を備えるカバー３は、ボディ１１を備えるキャビネット本体２に、キャビネット本体２の開口（ボディ１１の開口１１０）を覆う閉状態と開口を露出する開状態との間で変位可能となるように取り付けられる。
【００３７】
上述のように、キャビネット１０は、その外観に機能部９を備えている。本実施形態では、キャビネット１０の前面を構成する蓋体１３の前面の中央に、機能部９が設けられている。本実施形態では、機能部９は、時間情報を表示する時計部９１を備えている。つまり、機能部９としての時計部９１は、時間情報を表示する機能を有している。
【００３８】
ここでは、時計部９１は、時刻（例えば、現在時刻）を示す。時計部９１は、いわゆるアナログ時計である。時計部９１は、例えば、蓋体１３に内蔵された電池からの電力供給を受けて動作する。なお、時計部９１は、アナログ時計に限らずデジタル時計であってもよい。また、時計部９１は、時刻以外の時間情報を表す機能、例えば、月日を表すカレンダー機能、予め設定した時間までの残り時間を表示するタイマー機能、計測開始からの経過時間を表示するストップウォッチ機能等を備えていてもよい。
【００３９】
このように本実施形態の分電盤１では、キャビネット１０は、その外観（蓋体１３の前面）に、機能部９としての時計部９１を備えている。したがって、分電盤１が設置されている施設の使用者は、分電盤１の時計部９１を見ることで、時間情報を得ることができる。そのため、本実施形態の分電盤１は、使用者の生活環境の向上を図ることが可能となる。
【００４０】
（３）変形例
本開示の実施形態は、上記実施形態に限定されない。上記実施形態は、本開示の目的を達成できれば、設計等に応じて種々の変更が可能である。以下に、上記実施形態の変形例を列挙する。
【００４１】
（３．１）変形例１
図５は、蓋体１３Ａを備えた変形例１の分電盤１Ａを示す。分電盤１Ａでは、機能部９は、ファン９２を備えている。
【００４２】
ファン９２は、蓋体１３Ａの右下の部分に配置されている。ファン９２は、例えば、蓋体１３Ａに内蔵された電池からの電力供給を受けて動作する。ファン９２は、蓋体１３Ａの前壁に形成された貫通孔内に配置されており、動作することで前方に風を送ることができる。つまり、機能部９としてのファン９２は、送風機能を有している。例えば、ファン９２が生成する風によって、分電盤１内の電路で発生した熱を外部に放出させることで、分電盤１が設置されている部屋の温度を上昇させることができる。そのため、本変形例の分電盤１Ａでは、使用者の生活環境の向上を図ることが可能となる。また、分電盤１内の熱を外部に放出させやすくなるので、分電盤１内の冷却も可能となる。
【００４３】
（３．２）変形例２
図６は、蓋体１３Ｂを備えた変形例６の分電盤１Ｂを示す。分電盤１Ｂでは、機能部９は、ディスプレイ９３を備えている。
【００４４】
また、蓋体１３Ｂは、図７に示すように、カバー側接続部９００としてのコネクタを備えている。カバー側接続部９００は、キャビネット本体２内において複数の分岐ブレーカ４２のうちの一つに接続されているコネクタ（本体側接続部２１）に、接続可能である。ディスプレイ９３は、この本体側接続部２１及びカバー側接続部９００を介して供給された電力により動作する。
【００４５】
また、蓋体１３Ｂは、図７に示すように、カバー側通信部９０１を備えている。カバー側通信部９０１は、計測アダプタ７との間で通信する機能を有している。図７では、電気的接続を実線で示し、通信的接続を破線で示している。ディスプレイ９３は、カバー側通信部９０１で受け取った情報に基づいて、画面を表示する。計測アダプタ７とカバー側通信部９０１との間の通信方式は、例えば９２０ＭＨｚ帯の特定小電力無線局（免許を要しない無線局）、Ｗｉ−Ｆｉ（登録商標）、Ｂｌｕｅｔｏｏｔｈ（登録商標）等の通信規格に準拠した、電波を媒体とした無線通信であってもよい。また、計測アダプタ７とカバー側通信部９０１との間の通信方式は、有線ＬＡＮ（Local Area Network）等の通信規格に準拠した有線通信であってもよい。
【００４６】
ディスプレイ９０は、例えば、カバー側接続部９００に供給された電力により動作し、カバー側通信部９０１で受け取った情報を表示する。
【００４７】
このように、本変形例の蓋体１３Ｂでは、機能部９は、所望の情報を表示する表示機能を有している。そのため、本変形例の分電盤１Ｂでは、使用者の生活環境の向上を図ることが可能となる。
【００４８】
（３．３）変形例３
図８は、蓋体１３Ｃを備えた変形例３の分電盤１Ｃを示す。分電盤１Ｃでは、機能部９は、通信部９４１と、通話部９４２と、を備えている。
【００４９】
通信部９４１は、通信インターフェースであり、インターホン玄関装置（玄関装置）６０が接続されている。通信部９４１は、接続された玄関装置６０との間で通信を行う。通話部９４２は、スピーカとマイクロホンとを備えている。スピーカは、通信部９４１を介して玄関装置６０から受け取った音信号（電気信号）を、音に変換する。マイクロホンは、音を音信号（電気信号）に変換して、音信号を通信部９４１からインターホン玄関装置６０へ送信させる。通話部９４２は、玄関装置６０とともに、分電盤１Ｂが設置されている住戸の住人と住戸への来訪者と間の通話に用いられる。通信部９４１及び通話部９４２の動作電力は蓋体１３Ｃに設けられているカバー側接続部９００、及びキャビネット本体２に収容された本体側接続部２１を介して、複数の分岐ブレーカ４２のうちの一つから供給される。
【００５０】
このように、本変形例の蓋体１３Ｃでは、機能部９は、分電盤１が取り付けられる建物の玄関に設置されるインターホン玄関装置６０と有線通信することで、インターホン玄関装置６０との間で少なくとも音声信号を送受信する通信機能を有している。これにより、分電盤１Ｃが設置されている施設の使用者は、分電盤１Ｃの機能部９を用いて、施設への来訪者との通話が可能となる。そのため、本変形例の分電盤１Ｃでは、使用者の生活環境の向上を図ることが可能となる。
【００５１】
なお、蓋体１３Ｃは、操作者（住人）の操作を受け付け、操作を受け付けたときに玄関装置６０との接続を確立させる操作部、カメラ等で撮影された画像を表示するための表示部等の、インターホン装置が備え得る機能を実現する構成をさらに備えていてもよい。
【００５２】
（３．４）変形例４
図９は、蓋体１３Ｄを備えた変形例４の分電盤１Ｄを示す。分電盤１Ｄでは、機能部９は、中継器９５を備えている。
【００５３】
中継器９５は、データを２つ以上の異なるネットワーク間で中継する、いわゆるルータである。中継器９５は、例えば電波を媒体とした無線通信を行う機能を有していてもよいし、有線ＬＡＮ（Local Area Network）等の通信規格に準拠した有線通信を行う機能を有していてもよい。中継器９５の動作電力は、蓋体１３Ｄに設けられているカバー側接続部９００、及びキャビネット本体２に収容された本体側接続部２１を介して、複数の分岐ブレーカ４２のうちの一つから供給される。
【００５４】
このように、機能部９としての中継器９５は、２つ以上のネットワーク間の通信を中継する中継機能を有している。これにより、分電盤１Ｄが設置されている施設の使用者は、分電盤１Ｄの機能部９を用いて、例えば自身が所持する携帯端末を外部のネットワークに接続させることが可能となる。そのため、本変形例の分電盤１Ｄでは、使用者の生活環境の向上を図ることが可能となる。
【００５５】
（３．５）変形例５
図１０は、蓋体１３Ｅを備えた変形例５の分電盤１Ｅを示す。蓋体１３Ｅでは、機能部９は、照明装置９６を備えている。
【００５６】
照明装置９６は、外部のリモートコントローラから送信される赤外線信号に応じて点灯及び消灯されてもよいし、蓋体１３Ｅ等に設けられている明るさセンサで検知された明るさに応じて点灯及び消灯されてもよい。照明装置９６の動作電力は、蓋体１３Ｅに設けられているカバー側接続部９００、及びキャビネット本体２に収容された本体側接続部２１を介して、複数の分岐ブレーカ４２のうちの一つから供給される。
【００５７】
このように、機能部９としての照明装置９６は、常用照明又は非常照明としての機能を有している。そのため、本変形例の分電盤１Ｅでは、使用者の生活環境の向上を図ることが可能となる。
【００５８】
（３．６）変形例６
図１１は、変形例６の分電盤１Ｆの蓋体１３Ｆを示す。蓋体１３Ｆでは、機能部９は、複数種類のアタッチメントを取り付け可能な付加部９７を備える。
【００５９】
付加部９７は、薄型モニタ、薄型ディスプレイ等を壁、アームスタンド等に固定するための規格を定めたＶＥＳＡ（Video Electronics Standards Association）規格に従って形成された、ねじを通すための複数の孔を備えている。図１１の例では、付加部９７は、「ＭＩＳ−Ｄ」の規格に従う４つの孔と、「ＭＩＤ−Ｅ」の規格に従う４つの孔とを備えている。そのため、付加部９７には、ＶＥＳＡ規格に従う複数種類のアタッチメント（ディスプレイ、携帯端末等）を取り付け可能である。なお、アタッチメントは、ディスプレイ、携帯端末等の、ＶＥＳＡ規格に適合するマウント部を備えた一般的な電気機器に限られず、時計、ファン等の他の電気機器であってもよいし、鏡等の電気機器以外の機器であってもよい。
【００６０】
分電盤１Ｆの蓋体１３Ｆは、図１２に示すように、付加部９７にかかる力に基づきアタッチメントの重量を検知する重量検知部９７１をさらに備えている。重量検知部９７１は、例えばひずみゲージを備えている。重量検知部９７１は、アタッチメントが付加部９７に取り付けられた場合に生じる蓋体１３Ｆの変形（ひずみ）から、付加部９７に取り付けられているアタッチメントの重量を検知する。また、分電盤１Ｅの蓋体１３Ｆは、図１２に示すように、重量検知部９７１で検知された重量が閾値を超えた場合に報知する報知部９７２を備えている。報知部９７２は、視覚的情報（音声等）及び聴覚的情報（光、表示等）により、報知を行う。報知部９７２は、視覚的情報のみで報知を行ってもよいし、聴覚的情報のみで報知を行ってもよい。なお、重量検知部９７１及び報知部９７２は、ボディ１１に設けられていてもよいし、内カバー１２に設けられていてもよい。
【００６１】
このように、機能部９としての付加部９７は、アタッチメントを取り付けることで分電盤１Ｆに更なる機能を追加する付加機能を有している。そのため、本変形例の分電盤１Ｆでは、使用者の生活環境の向上を図ることが可能となる。
【００６２】
（３．７）変形例７
図１３は、変形例７の分電盤１Ｇの蓋体１３Ｇを示し、図１４は、蓋体１３Ｇを開いた状態の分電盤１Ｇを示す。分電盤１Ｇでは、機能部９は、物品を保持する保持部９８を備える。保持部９８は、ここでは、複数のフック９８１を備えている。フック９８１は、内カバー１２Ｇの前面１２１の下側の部分に設けられている。つまり、機能部９としての保持部９８は、キャビネット１０の外観（内カバー１２Ｇの前面１２１）に設けられている。フック９８１は、物品の一部が引っ掛けられることでこの物品を保持可能である。
【００６３】
なお、保持部９８は、フック９８１に限られず、ＤＩＮ（Deutsche Industrie Normen）レールであってもよいし、磁石、又は鉄板等の磁性体を備えていてもよい。保持部９８が磁石又は磁性体の場合、保持部９８は、磁力により、物品（磁石又は磁性体をその一部に備えた物品）を保持できる。
【００６４】
また、機能部９は、物品を収容する収容部を備えていてもよい。収容部は、例えば、内カバー１２Ｇに形成された貫通孔に対して出し入れ可能な収納ケースである。収納部には、適宜のロック機構が設けられていてもよい。ロック機構は、例えば携帯端末に記憶された適宜のアプリケーションからの信号に応じて、ロック状態とアンロック状態とが切り替えられてもよい。
【００６５】
このように、機能部９としての保持部９８及び収容部は、物品を所定位置に保管する保管機能を有している。そのため、本変形例の分電盤１Ｇでは、使用者の生活環境の向上を図ることが可能となる。
【００６６】
なお、分電盤１Ｇは、蓋体１３Ｇを備えていなくてもよい。また、保持部９８又は収容部は、蓋体１３Ｇに設けられていてもよい。
【００６７】
（３．８）その他の変形例
変形例７の機能部９と同様に、実施形態及び変形例１〜６の機能部９も、内カバー１２に設けられていてもよい。例えば、内カバー１２の前壁に、動作することで後方に風を送るファンが設けられていてもよい。この場合、ファンを動作させることで、キャビネット１０の内部空間（収容空間ＳＰ１）を冷却することが可能となる。また、キャビネット１０の内部空間（収容空間ＳＰ１）内に堆積した異物（埃等）を吹き飛ばして除去することも可能となる。
【００６８】
機能部９の機能は、上記実施形態及び変形例１〜６で説明したものに限られない。また、分電盤は、上記実施形態及び変形例１〜６の機能部９の機能を、複数組み合わせて備えていてもよい。
【００６９】
（４）まとめ
以上説明した実施形態及び変形例等から以下の態様が開示されている。
【００７０】
第１の態様の分電盤（１、１Ａ、１Ｂ、１Ｃ、１Ｄ、１Ｅ、１Ｆ、１Ｇ）は、ブレーカ（４０）と、キャビネット（１０）と、を備える。キャビネット（１０）は、ブレーカ（４０）を収容する収容空間（ＳＰ１）を有する。キャビネット（１０）は、その外観に、所定の機能を有する機能部（９）を備える。
【００７１】
この態様によれば、使用者は、機能部（９）が有する所定の機能を利用することができる。したがって、使用者の生活環境の向上を図ることができるという利点がある。
【００７２】
第２の態様の分電盤（１）は、第１の態様において、機能部（９）は、時間情報を表示する時計部（９１）を備える。
【００７３】
この態様によれば、使用者は、分電盤（１）の時計部（９１）を見ることで時間情報を得ることができる。そのため、使用者の生活環境の向上を図ることが可能となる。
【００７４】
第３の態様の分電盤（１Ａ）は、第１又は第２の態様において、機能部（９）は、ファン（９２）を含む。
【００７５】
この態様によれば、例えば、ファン（９２）を動作させることで、送風対象に風を送ることが可能となる。
【００７６】
第４の態様の分電盤（１Ｃ）は、第１〜第３のいずれか１つの態様において、機能部（９）は、分電盤（１Ｃ）が取り付けられる建物の玄関に設置されるインターホン玄関装置（６０）と有線通信することで、インターホン玄関装置（６０）との間で少なくとも音声信号を送受信する通信機能を有する。
【００７７】
この態様によれば、使用者は、分電盤（１Ｃ）の機能部（９）を用いて、施設への来訪者と通話が可能となる。
【００７８】
第５の態様の分電盤（１Ｄ）は、第１〜第４のいずれか１つの態様において、機能部（９）は、データを２つ以上の異なるネットワーク間で中継する中継器（９５）を備える。
【００７９】
この態様によれば、使用者は、分電盤（１Ｄ）の機能部（９）を用いて、例えば自身が所持する携帯端末を外部のネットワークに接続させることが可能となる。
【００８０】
第６の態様の分電盤（１Ｇ）は、第１〜第５のいずれか１つの態様において、機能部（９）は、物品を保持する保持部（９８）又は物品を収容する収容部を備える。
【００８１】
この態様によれば、使用者は、分電盤（１Ｇ）の機能部（９）に物品を保管しておくことが可能となる。
【００８２】
第７の態様の分電盤（１Ｅ）は、第１〜第６のいずれか１つの態様において、機能部（９）は、照明装置（９６）を備える。
【００８３】
この態様によれば、使用者は、例えば分電盤（１Ｅ）の機能部（９）を、常用照明又は非常照明として利用することが可能となる。
【００８４】
第８の態様の分電盤（１Ｆ）は、第１〜第７のいずれか１つの態様において、機能部（９）は、複数種類のアタッチメントを取り付け可能な付加部（９７）を備える。
【００８５】
この態様によれば、付加部（９７）にアタッチメントを取り付けることで、分電盤（１Ｆ）に更なる機能を付加することが可能となる。
【００８６】
第９の態様の分電盤（１Ｆ）は、第８の態様において、付加部（９７）にかかる力に基づきアタッチメントの重量を検知する重量検知部（９７１）を、さらに備える。
【００８７】
この態様によれば、付加部（９７）に取り付けられたアタッチメントの重量を検知することが可能となり、検知された重量に応じた対処を取ることが可能となる。
【００８８】
第１０の態様の分電盤（１Ｆ）は、第９の態様において、重量検知部（９７１）で検知された重量が閾値を超えた場合に報知する報知部（９７２）を、さらに備える。
【００８９】
この態様によれば、分電盤（１Ｆ）に過重量がかかっていることを使用者に知らせることが可能となる。
【００９０】
第１１の態様の分電盤（１、１Ａ、１Ｂ、１Ｃ、１Ｄ、１Ｅ、１Ｆ、１Ｇ）は、第１〜第１０のいずれか１つの態様において、キャビネット（１０）は、キャビネット本体（２）と、カバー（３）と、を備える。キャビネット本体（２）は、ブレーカ（４０）を保持する。キャビネット本体（２）は、前面に開口（１１０）を有する。カバー（３）は、キャビネット本体（２）の開口（１１０）を覆う閉状態と開口（１１０）を露出する開状態との間で変位可能となるようにキャビネット本体（２）に取り付けられる。機能部（９）は、カバー（３）に設けられる。
【００９１】
この態様によれば、キャビネット本体（２）の開口（１１０）を覆うためのカバー（３）を、有効に活用することが可能となる。
【００９２】
第１２の態様の分電盤（１、１Ａ、１Ｂ、１Ｃ、１Ｄ、１Ｅ、１Ｆ、１Ｇ）は、第１〜第１１のいずれか１つの態様において、機能部（９）が有する所定の機能は、ブレーカ（４０）に関係する機能以外の機能である。
【００９３】
この態様によれば、使用者の生活環境の向上を図ることができる。
【００９４】
第２〜第１２の態様に係る構成は、分電盤（１、１Ａ、１Ｂ、１Ｃ、１Ｄ、１Ｅ、１Ｆ、１Ｇ）に必須の構成ではなく、適宜省略可能である。
【符号の説明】
【００９５】
１、１Ａ、１Ｂ、１Ｃ、１Ｄ、１Ｅ、１Ｆ、１Ｇ  分電盤
１０  キャビネット
２  キャビネット本体
３  カバー
１１０  開口
９  機能部
９１  時計部
９２  ファン
９５  中継器
９６  照明装置
９７  付加部
９７１  重量検知部
９７２  報知部
９８  保持部
４０  ブレーカ
６０  インターホン玄関装置
【図１】
2020089075.tif 000003
【図２】
2020089075.tif 000004
【図３】
2020089075.tif 000005
【図４】
2020089075.tif 000006
【図５】
2020089075.tif 000007
【図６】
2020089075.tif 000008
【図７】
2020089075.tif 000009
【図８】
2020089075.tif 000010
【図９】
2020089075.tif 000011
【図１０】
2020089075.tif 000012
【図１１】
2020089075.tif 000013
【図１２】
2020089075.tif 000014
【図１３】
2020089075.tif 000015
【図１４】
2020089075.tif 000016